(57)【要約】【課題】設置や移動が容易でかつ標識部材を基盤部材に固定し易い可搬性標識スタンドを提供すること。【解決手段】可搬性標識スタンドの基盤部材は標識スタンドを風のある状態においても安定させるために液状あるいは固形のバラストを充填可能な１個またはそれ以上の区画室を有している。標識スタンドがころがされ、諸々の位置まで動きうるように、車輪が基盤部材の一方の縁部に設けられている。車輪のための車軸部材がブラケット部材によって基盤部材の適所に保持されており、前記ブラケット部材は、標識部材を基盤部材に固定し易くする。風に対する抵抗性の優れた標識スタンドを提供するよう、標識部材を基盤に接続するために弾性部材を使用することが出来る。【選択図】　　　図１
2004046187.tif 000002
【特許請求の範囲】
【請求項１】
基盤部材と該基盤部材に接続された直立した標識部材とを含む標識スタンドにおいて、前記基盤部材がバラストを保持するための少なくとも１個の区画室と、前記区画室の各々と連通している少なくとも１個の入口ポートと、前記基盤部材の少なくとも一つの縁部に位置している一対の車輪と、前記一対の車輪の間に位置した車軸部材と、前記基盤部材に連結され、前記車軸部材を適所に固定するブラケット部材と、前記ブラケット部材の第１の側に位置した少なくとも１個の弾性部材とを有し、前記直立した標識部材が前記ブラケット部材の反対の側に位置していることを特徴とする標識スタンド。
【請求項２】
前記弾性部材がコイルばねからなることを特徴とする請求項１に記載の標識スタンド。
【請求項３】
前記弾性部材が２個設けられ、それぞれの弾性部材がコイルばねからなることを特徴とする請求項２に記載の標識スタンド。
【請求項４】
可搬性標識スタンドであって、バラストを保持するための中空の室を有する成形された基盤部材と、
それぞれ基盤部材の上側及び下側にある第１のブラケット部材及び第２のブラケット部材と、
基盤部材の下側に固定された前記第２のブラケット部材によって基盤部材の下側に保持された車軸部材及び該車軸部材に接続された一対の車輪と、
基盤部材の上側に固定された前記第１のブラケット部材に接続された直立した標識部材とを含み、
前記標識部材が前記第１のブラケット部材上に位置するとともに、弾性部材を前記第２のブラケット部材の下方に位置していることを特徴とする可搬性標識スタンド。
【請求項５】
前記弾性部材がコイルばねからなることを特徴とする請求項４に記載の可搬性標識スタンド。
【請求項６】
前記第１のブラケット部材と前記第２のブラケット部材とを相互に固定する固定部材を有することを特徴とする請求項４に記載の可搬性標識スタンド。
【請求項７】
前記基盤部材は、傾斜をつけるか丸みをつけた隅部を有することを特徴とする請求項４に記載の可搬性標識スタンド。
【請求項８】
前記基盤部材が、前記中空の室にバラストを充填あるいは排出するための開口を有することを特徴とする請求項４に記載の可搬性標識スタンド。
【発明の詳細な説明】
【０００１】
【技術分野】
本発明は転がり基盤（ｒｏｌｌｉｎｇ　ｂａｓｅ）を有する可搬性標識スタンド（ｓｉｇｎ　ｓｔａｎｄ）に関する。
【０００２】
【発明の背景】
標識および標識スタンドは今日種々の目的で、事実全ての種類のビジネスに使用されている。例えば、建物の内側あるいは外側で、買い物の表示をするために各種の標識および標識スタンドが使用されている。また、標識および標識スタンドは通行中の歩行者や運転者に対して注意および（または）警告を発するため交通整理および安全分野でも使用されている。
【０００３】
今日使用されている標識スタンドの多くはばねで装着し、風に耐える標識スタンドである。それらのあるものが例えば米国特許第３、６４６、６９６号、同第３、６６２、４８２号、同第４、２８８、０５３号、および同４、５４８、３７９号に示されている。また、適所に保持するためＴ字形の脚や、重りをつけた基盤を使用している多数の標識スタンドも今日使用されている。重りをつけた基盤が使用された場合、風に対して最良の抵抗性を提供し、しかも同時に該標識スタンドを可搬性とするための適当なサイズの重りつき基盤を提供することは困難であることがよくある。
【０００４】
本発明の目的は重りつき基盤を有しており、かつ容易に運びうる改良された標識スタンドを提供することである。また、本発明の目的は設置や移動を容易にするために車輪あるいはローラを有している標識スタンドを提供することである。本発明の別の目的は前記基盤の重さを容易に調整しうる可搬性標識スタンドを提供することである。更に別の本発明の目的は、中に空洞を備え、標識スタンドを適所に保持するために液状あるいは固形材料で該空洞を充填し、あるいは該標識スタンドを簡単に動かしたり、格納しうるようにするために該空洞を空にすることが出来る基盤部材を有する可搬性標識スタンドを提供することである。
これらおよびその他の本発明の目的は本発明の以下の要約と説明とから明らかとなる。
【０００５】
【発明の要約】
本発明は重さを調節できる基盤を備えた可搬性の標識スタンドを提供する。前記基盤は１個またはそれ以上の区画室すなわち空洞を有し、該区画室すなわち空洞がそれらを充填したり、あるいは空にしうるようにするために入口ポートすなわち開口を有している。１個またはそれ以上のシールされた入口／出口ポートを除いては、前記基盤は漏れの問題を起因しうる開口あるいは接合部を何ら有していない。標識あるいは標識スタンド、特にばね装着で風に対して抵抗性のある標識スタンドが基盤部材に取り付けられる。
前記基盤部材と標識スタンドとが一方の位置から別の位置まで容易に動きうるようにするために該基盤部材の一方の側に１個またはそれ以上の車輪あるいはローラが設けられている。
本発明のこれらおよびその他の特徴、利益あるいは利点は、添付図面と請求の範囲とに関連して検討すれば、以下の本発明の説明から明らかとなる。
【０００６】
【発明の最良の態様】
本発明は図面において全体的に参照数字１０で示される。本発明は、標識と、重さが調整可能で、標識スタンドを一方の位置から別の位置まで容易に動かすことができるようにするローラ部材を有する重り付き基盤部材を有する標識スタンドとからなる。
標識スタンド１０は基盤部材１２と直立した標識部材１４とを含む。標識部材１４は一対のコイルばね２０によって基盤部材１２に接続されている。本発明１０は好適実施例においては、標識部材１４を基盤部材１２に接続する一対のコイルばね２０を利用したものとして示されているが、標識部材はいずれかの従来の方法により基盤部材に接続可能なことも理解される。この点に関して、接続手段は風に対する抵抗性のある取り付けを行なうことが可能で、あるいは標識部材は風に対する抵抗についての備えを考えることなく基盤部材に一体的に接続可能である。
【０００７】
１個以上のばね手段によって基盤部材に接続された標識スタンドは、例えば、その開示を参考のために本明細書に含めている米国特許第３、６４６、６９６号、同第３、６６２、４８２号、および同第４、２８８、０５３号に記載されている。このタイプの標識スタンドはミシガン州、ファーミントンヒルズのマーケテイングデイスプレイズ社（Ｍａｒｋｅｔｉｎｇ　Ｄｉｓｐｌａｙｓ，Ｉｎｃ．，Ｆａｒｍｉｎｇｔｏｎ　Ｈｉｌｌｓ，Ｍｉｃｈｉｇａｎ）からＷＩＮＤＭＡＳＴＥＲＴＭの商標で販売されている。
基盤部材１２は、例えばポリエチレン、ポリプロピレン等のようなプラスチック材から成形されることが好ましい。もっとも、本発明の目的を満たすことが可能なその他の均等な材料を使用してもよい。基盤部材の内側は１個またはそれ以上の区画室、すなわち中空の室２２を有している。１個またはそれ以上の開口２４を用いて各室２２と連通させることにより各室を例えば水、砂あるいはその他のバラスト（ｂａｌｌａｓｔ）のような液体あるいは固形材料で充填することが可能である。
【０００８】
基盤は２個またはそれ以上の片から成形し、相互に接合するか、あるいは一体的に成形し後で複数の開口すなわち孔を機械加工すればよいが、基盤は回転成形技術（ｒｏｔａｔｉｏｎａｌ　ｍｏｌｄｉｎｇ　ｔｅｃｈｎｉｑｕｅｓ）により示される寸法と形状に成形することが好ましい。このように、開口あるいは接合部は不要であって、潜在的なバラスト漏洩個所を持たない基盤を提供しうる。このように、本発明の好適実施例によれば、基盤は単数又は複数の内部空洞を充填したり／空にするための一個又はそれ以上の入口／出口ポートのみを有しており、これらのポートは適当なプラグで簡単にシール可能で、漏れが心配でない位置に配置させることが可能である。
基盤部材１２の内部には１個あるいは多数の中空部分すなわち室を設けることが出来る。この点に関して、もしも１個又はそれ以上の室が設けられたとすれば、各室はその内部へのアクセスを可能とする少なくとも１個の開口２４を有することが好ましい。また、希望に応じて、充填あるいは排出をし易くするように各室に２個またはそれ以上のポートすなわち開口を設けてもよい。
【０００９】
図３と図４とは１個の内部室２２を有している基盤部材１２の断面図を示す。プラスチックあるいは弾性材料／ゴム材料から作ることが好ましい、いずれかの従来のタイプのプラグ部材２６を設けて開口２４を着脱可能にシールする。
基盤部材の室をバラストで充填したい場合、標識スタンド１０は第７図に示すように、側方へ傾けることが好ましい。このように、ホース２８からの水のような液体が開口２４を通して室中へ導入される。プラグ部材２６は、基盤部材がバラストで充填された後、開口に栓をする。
基盤部材１２を空にしたい場合、標的スタンド１０を図７に示す位置とは反対の要領で傾かせることができ、そのため開口２４が地面近くまで来る。こうすることにより基盤材料内の液体あるいは固形のバラストが開口２４から流出出来るようにする。
【００１０】
図２に示すように、一対の車輪３２が車軸部材３４に接続され、基盤部材１２の底に位置させることができる。車輪は基盤部材の成形されたくぼみ３６内に装嵌する。車軸は基盤部材のスロットすなわち溝（ｃｈａｎｎｅｌ）４０に位置され、車軸部材３４はブラケット部材４２によって適所に保持される。
コイルばね部材２０はいずれかの従来の要領により標識スタンド１４に接続される。図示のように、ばね部材２０は基盤部材の溝（すなわち凹部）４６に位置したブラケット部材４４によって基盤部材１２に接続されることが好ましい。ブラケット部材４２と４４とは複数の固定具５０によって基盤部材１２の両側において相互に固定される。固定具５０は、例えば図２に示す機械ボルトのようないずれかの従来のタイプのものでよい。固定具５０を２枚のプレート部材に固定するためにワッシャ５２やナット５４が使用される。固定具５０は基盤部材１２の成形された開口６（すなわち、溝部材）に位置している。
【００１１】
本発明の好適実施例によれば、車軸やブラケット固定具のための孔を基盤に穿孔する必要はない。車軸は細長い成形されたくぼみ内に装嵌し、固定具は成形された開口に位置され、該開口は基盤を通してシールされた通路を提供している。図示のように、ブラケット部材４２は標識スタンド１４を基盤部材１２に固定し易くし、また車軸３４と車輪３２とを基盤部材の適所に保持する。
一対の拡径のくぼみ（ｗｅｌｌｓ）、すなわち開口６２がまた、基盤部材１２に組み込まれ、中央の溝４６と連通している。拡径開口６２は標識スタンド１４が風の力で撓んだときばね部材２０が折れ曲がりうるようにする。この撓みは、例えば、図５の隠れた線２０１で示されている。
【００１２】
車輪３２は基盤部材の側部７０に位置され、標識スタンド１０が他の位置まで動きうるように該スタンドを傾けうるように使用される。標識スタンドは、例えば安全のために室内に動かしたり、あるいは単に便宜的に一方の位置から他の位置まで動かすことができる。図７に示すように、標識スタンド１０を動かしうるようにするために、標識スタンド１０を僅かに傾かせ、車輪部材３２が地面と完全に係合するようにさせる。この位置において、図８に示すように、標識スタンドはいずれの方向にも移動させることができる。
【００１３】
基盤部材の隅部７２は、基盤部材が図８に示すように傾きうるように空間を提供するために図に示すように傾斜をつけるか、丸みをつけている。この点に関して、車輪３２に隣接した２個所の隅部のみを傾斜を付ければよいものの、美観上の理由から基盤部材のその他の２個の隅部も傾斜を付けることが好ましい。
溝４６は、標識スタンド１０を屋外で使用した場合、溝から水、雪等が排出できるよう基盤部材の両端７４で開放することが好ましい。
ブラケット部材４４と、従ってばね２０と基盤部材１２との間の接続部とは基盤部材の上面７６の下方数インチ（ｉｎｃｈｅｓ）のところまで溝部材４６に位置しているが、標識部材１４は基盤部材の上面７６にその他の方法で接続しうることも理解される。しかしながら、ばねと基盤部材との間の接続部を溝の下部分に設けると標識スタンド１０の重心を下方に持ってくる。重心が下方にあると標識スタンドが風のある状態でもより安定するようになる。
本発明によれば、基盤部材の中空部分、すなわち室に約１８．９から３７．８５リットル（５から１０ｇａｌｌｏｎｓ）の液状材料またはバラストを入れる。そのような大きさの容器あるいは室に入る材料の重量は風のある状態で標識スタンドが満足に安定するようにさせるものと考えられる。
基盤部材１２は、現時点では図に示すサイズや形状が好ましいものの、どのような外形あるいは形状でもよい。この点に関して、図に示すタイプの基盤部材は広告部材あるいはメッセージのために使用しうる１個またはそれ以上の面８０を有しうる。広告はまた、転写、挿入、浮き彫り等としうる。
【００１４】
本発明の代替実施例を図９と図１０とに示す。標識スタンド８１は基盤部材８２と標識部材８４とを有している。標識部材８４は標識パネル８６と直立部材８８とを含む。標識部材８４は何らかの従来の方法で直立部材に取り付けることが可能で、剛性あるいは巻き上げ標識（ｒｉｇｉｄ　ｏｒ　ｒｏｌｌ−ｕｐ　ｓｉｇｎ）であり、双方共一般に既知であり、交通整理標識スタンドの分野において利用されている。
直立部材は基盤部材８２の頂部にあるくぼみすなわち凹部９２に位置されたブラケット部材９０に接続されている。第２のブラケット部材９４が基盤部材の底にある別の凹部９６に位置されている。図１から図８までに関連して説明したブラケット部材４２と同様に、ブラケット部材９４は車軸９８と車輪１００とを基盤部材の適所に保持する。
【００１５】
２個のブラケット９０および９４は、ねじを切ったロッド１０２と固定具（例えばナット）と組み合わされて標識部材８４を基盤に固定する。弾性部材１０６がブラケット部材９４の下方でロッド１０２に位置されている。弾性部材１０６は圧縮コイルばね（図示）でよく、あるいは例えばゴム弾性材料（ｅｌａｓｔｏｍｅｒｉｃ　ｍａｔｅｒｉａｌ）のようないずれかのその他のタイプの弾性材料から作ってもよい。標識部材を基盤部材８２にその上面の下方で接続することによって標識スタンド８１の重心を低くし、風のある状態での安定性を向上する。また、基盤部材８２全体はその構造や材質のため地面に対して直立部材８８が曲がったり、直立部材が通常の垂直の直立位置まで復帰し易くするようにする弾性の弾圧機構として作用する。（プラスチック材料は板ばねのように撓む）。圧縮ばね、あるいは弾性部材１０６を追加することにより直立部材８８が通常の直立（休止）位置から曲り、かつその位置へ復帰し易くする。ばね１０６はまた、プラスチック構造体を安定させ、無風状態においても標識部材を直立に保持する。
【００１６】
基盤部材８２は中空であり、水あるいは別のバラスト材で充填しうる１個またはそれ以上の室を有している。プラグによって被覆された１個またはそれ以上の孔が基盤にバラストを充填するために使用される。
基盤の一方の側で好ましくは車輪１００とは反対の側においてハンドル部材１１２を設けることが好ましい。ハンドル部材は、バラストを追加したり、あるいはバラストを取り出したり、空にしたり、あるいは単に標識スタンドを別の位置まで搬送するよう基盤部材や標識スタンドを手で持ち上げたり、傾けたり、あるいは動かすために使用される。
本発明を実施するための最良の態様を詳細に説明したが、本発明に関わる技術分野の専門家には、請求の範囲に記載の本発明を実施するための各種の代替設計や実施例が認められる。
【図面の簡単な説明】
【図１】本発明の好適実施例を示す図面である。
【図２】図１に示す実施例の分解図、
【図３】ある部分を破断して示す、図１に示す基盤部材の実施例の側面図、
【図４】ある部分を破断して示す、図１に示す基盤部材の実施例の端面図、
【図５】図３の線５―５に沿って矢印の方向に見た断面図、
【図６】基盤部材の部分的な平面図、
【図７】バラストを充填する位置において、本発明の好適実施例を示す図、
【図８】本発明を一方の位置から別の位置まで動かしうる態様を示す図、
【図９】本発明の代替実施例を示す図、および
【図１０】図９の線１０−１０に沿って、矢印の方向に見た断面図である。
【図１】
2004046187.tif 000003
【図２】
2004046187.tif 000004
【図３】
2004046187.tif 000005
【図４】
2004046187.tif 000006
【図５】
2004046187.tif 000007
【図６】
2004046187.tif 000008
【図７】
2004046187.tif 000009
【図８】
2004046187.tif 000010
【図９】
2004046187.tif 000011
【図１０】
2004046187.tif 000012